(57)【要約】      （修正有）【課題】ズーム操作を行ったときに、人物のみを映し出すように拡大表示することができるインターホン装置を提供する。【解決手段】来訪者を撮像するカメラを備えた玄関子機と、カメラで撮像された映像を出力するモニタを備えた居室親機で構成されたインターホン装置において、カメラで撮像された人物を検出する人物検出部と、居室親機でズーム操作を行ったとき、対象人物を含むズーム画面範囲を決定するズーム画面決定部と、ズーム画面決定部で決定された画面範囲を全画面で拡大表示を行うズーム処理部を備える。【選択図】図２
2010034615.tif 000002
【特許請求の範囲】
【請求項１】
来訪者を撮像するカメラ（１０１）を備えた玄関子機（１）と、前記カメラで撮像された映像を出力するモニタ（２０１）を備えた居室親機（２）で構成されたインターホン装置において、
前記カメラで撮像された人物を検出し、ズーム対象人物を検出する人物検出部（２０３）と、前記居室親機でズーム操作を行ったとき、ズーム対象人物を含むズーム画面範囲を決定するズーム画面決定部（２０８）と、前記ズーム画面決定部で決定された画面範囲を全画面で拡大表示を行うズーム処理部（２０２）を備えたことを特徴とするインターホン装置
【請求項２】
前記人物検出部には、前記カメラで撮像された人物の内、人物像が所定以上の大きさの人物をズーム対象人物と判定するズーム人物サイズ判定部（２０３ａ）を備えたことを特徴とする請求項１記載のインターホン装置
【請求項３】
前記人物検出部には、前記カメラで撮像された人物が３人以上の場合、人物間の距離が所定値以内の人物をズーム対象人物と判定するズーム人物間距離判定部（２０３ｂ）を備えたことを特徴とする請求項１又は２項記載のインターホン装置
【請求項４】
前記人物検出部には、前記カメラで撮像された人物の内、人物が正面を向いている人物をズーム対象人物と判定するズーム人物正面判定部（２０３ｃ）を備えたことを特徴とする請求項１乃至３の何れか１項記載のインターホン装置
【請求項５】
前記玄関子機又は前記居室親機に、前記カメラが撮像する全画面映像、及び／又は、ズーム映像を録画する録画部（２１０）を設けたことを特徴とする請求項１乃至４の何れか１項記載のインターホン装置
【発明の詳細な説明】
【技術分野】
【０００１】
本発明は、玄関子機からの映像を居室親機にてズーム操作できるインターホン装置であって、ズーム操作を行ったときに、人物のみを映し出すように拡大表示することができるインターホン装置に関する。
【背景技術】
【０００２】
従来から、玄関子機で撮像された映像を居室親機にて表示させるインターホン装置が広く知れ渡っており、玄関子機のカメラの撮像範囲を変更して自分の希望する画面とすることが可能であった。
例えば、特許文献１では、居室親機の操作によって玄関子機で撮像した映像をズームさせることができた。また、撮像範囲以外の周囲映像を確認するには、パンチルト操作を行ってカメラの撮像範囲の変更を行っていた。
【特許文献１】特開２００４−３０４５５８
【発明の開示】
【発明が解決しようとする課題】
【０００３】
しかし、玄関先の人物だけをズームアップさせるためには、居室親機のズーム操作、パンチルト操作を行なって、自分の希望する画面に調整しなければならず、操作が困難であった。
【０００４】
本発明は、上記問題を解決するためになされたものであって、居室親機でズーム操作を行うことによって、玄関子機周辺の人物をズームアップさせることができ、容易に人物を確認することができるインターホン装置を提供することを目的とする。
【課題を解決するための手段】
【０００５】
上記課題を解決するために、請求項１に記載の発明は、来訪者を撮像するカメラを備えた玄関子機と、カメラで撮像された映像を出力するモニタを備えた居室親機で構成されたインターホン装置において、カメラで撮像された人物を検出する人物検出部と、居室親機でズーム操作を行ったとき、対象人物を含むズーム画面範囲を決定するズーム画面決定部と、ズーム画面決定部で決定された画面範囲を全画面で拡大表示を行うズーム処理部を備えたことを特徴とする。
【０００６】
このような発明によれば、居室親機の簡単な操作で、玄関周辺の人物をモニタにてズームさせることができる。
【０００７】
請求項２の発明は、人物検出部には、カメラで撮像された人物の内、人物像が所定以上の大きさの人物をズーム対象人物と判定するズーム人物サイズ判定部を備えたことを特徴とする。
【０００８】
このような発明によれば、居室親機の簡単な操作で、玄関周辺の人物の中で来訪者と思われる人物をモニタにてズームさせることができる。
【０００９】
請求項３の発明は、人物検出部には、カメラで撮像された人物が３人以上の場合、人物間の距離が所定値以内の人物をズーム対象人物と判定するズーム人物間距離判定部を備えたことを特徴とする。
【００１０】
このような発明によれば、居室親機の簡単な操作で、玄関周辺の人物の中で来訪者と思われる人物をモニタにてズームさせることができる。
【００１１】
請求項４の発明は、人物検出部には、カメラで撮像された人物の内、人物が正面を向いている人物をズーム対象人物と判定するズーム人物正面判定部を備えたことを特徴とする。
【００１２】
このような発明によれば、居室親機の簡単な操作で、玄関周辺の人物の中で来訪者と思われる人物をモニタにてズームさせることができる。
【００１３】
請求項５の発明は、玄関子機又は前記居室親機に、カメラが撮像する全画面映像、及び／又は、ズーム映像を録画する録画部を設けたことを特徴とする。
【００１４】
このような発明によれば、玄関周辺の映像を録画することができる。
【発明の効果】
【００１５】
本発明のインターホン装置によれば、居室親機の簡単な操作で、玄関子機周辺の人物をズームアップさせることができ、容易に人物を確認することができる。
【発明を実施するための最良の形態】
【００１６】
以下、本発明のインターホン装置を適用した最良の実施の形態例について、図面を参照して説明する。本発明のインターホン装置は図１に示すように、玄関子機１、居室親機２で構成されている。図２はズーム操作をおこなったときの画面図の一例を表している。
【００１７】
玄関子機１は、玄関先の来訪者を撮像するカメラ１０１と、居住者と会話するための子機音響部１０２と、居室親機２を呼出すための呼出ボタン１０３と、居室親機２と通信するための子機Ｉ／Ｆ１０４で構成されている。
【００１８】
居室親機２は、玄関子機１から呼出されたときに応答するための通話ボタン２０７と、来訪者と会話するための親機音響部２０５と、玄関子機１から送られてきた映像信号を表示するモニタ２０１と、撮像された映像中の人物を検出する人物検出部２０３と、撮像されて映像を拡大させるためのズームボタン２０６と、ズームボタン２０６を操作したときに、ズーム対象人物を含んだ画面範囲を決定するズーム画面決定部２０８と、ズーム画面決定部２０８で決定した画面範囲をモニタ２０１に全画面表示を行う為のズーム処理部２０２と、撮像された映像を録画する録画部２１０と、居室親機２の各部を制御するＣＰＵ２０４と、玄関子機１と通信するための親機Ｉ／Ｆ２０９で構成されている。また、人物検出部２０３にはズーム対象人物を判定するズーム人物サイズ判定部２０３ａ、ズーム人物間距離判定部２０３ｂ、ズーム人物正面判定部２０３ｃを備えている。
【００１９】
このようなインターホン装置において動作説明を行なう。まずは通常の呼出操作から通話に入るまでの動作説明を行う。
【００２０】
来訪者が玄関子機１の呼出ボタン１０３を操作すると、呼出信号が子機Ｉ／Ｆ１０４、親機Ｉ／Ｆ２０９を介してＣＰＵ２０４に呼出信号が送信される。呼出信号を受信したＣＰＵ２０４は、音響部２０５から呼出音を出力するよう制御する。さらに、玄関子機１の音響１０２からの音声信号を子機Ｉ／Ｆ１０４、親機Ｉ／Ｆ２０９を介して居室親機２の音響部２０５へ音声信号を出力させると共に、玄関子機１のカメラ１０１からの映像信号を子機Ｉ／Ｆ１０４、親機Ｉ／Ｆ２０９、ズーム処理部２０２を介して、モニタ２０１に出力させる。このとき、居室親機の通話ボタン２０７を操作することにより、居室親機２の音響部２０５からの音声信号は、親機Ｉ／Ｆ２０９、子機Ｉ／Ｆ１０４を介して玄関子機１の音響部１０２へ出力させることができる。
【００２１】
次に、居室親機２でズーム操作したときの動作説明を行う。
カメラ１０１で撮像された映像が図２（ａ）のような映像をモニタ２０１に出力しているときに、ズームボタン２０６を操作すると、人物検出部２０３にて撮像中の全ての人物を検出する検出処理を行う。その後、検出された全ての人物が含まれる画面範囲３０１をズーム画面決定部２０８で決定し、ズーム処理部２０２にて画面範囲３０１を図２（ｂ）のように全体画面に表示するようにズーム処理を行う。このとき、できるだけ拡大倍率を高くするような画面範囲とすると良い。従って、居室親機の簡単な操作によって人物のみの映像を確認することができる。
【００２２】
また、カメラ１０１で撮像された人物の状況を判定し、ズーム対象人物とするかを判別させることもできる。
【００２３】
ズーム人物サイズ判定部２０３ａでは、カメラ１０１で撮像された人物の内、人物像が所定値以上の大きさの人物をズーム対象人物と判定し、ズーム人物間距離判定部２０３ｂでは、カメラ１０１で撮像された人物と人物の間の距離を測定し、人物間の距離が所定値以内の人物をズーム対象人物と判定し、ズーム人物正面判定部２０３ｃでは、カメラ１０１で撮像された人物の内、正面を向いている人物をズーム対象人物と判定することができる。
【００２４】
従って、カメラ１０１で撮像された映像が図２（ｃ）のように５人の人物が出力された映像をモニタ２０１に出力しているときに、ズームボタン２０６を操作すると、ズーム人物サイズ判定部２０３ａ、ズーム人物間距離判定部２０３ｂ、ズーム人物正面判定部２０３ｃでズームアップする対象人物を判定させることができる（例えば、正面中央の人は横向きであり対象外である）。その後、ズーム対象人物と判定された人物が含まれる画面範囲３０２をズーム画面決定部２０８で決定し、ズーム処理部２０２にて画面範囲３０１を図２（ｄ）のように全体画面に表示するようにズーム処理を行う。このような動作によって、来訪者のみをズームアップさせることが容易に行うことができる。
【００２５】
また、カメラ１０１にて撮像した全映像、または、ズームされた映像を録画部２１０にて録画することができるため、後から来訪者のズームアップ画面を確認することもできるし、玄関付近を徘徊している不審者を全体画面で確認することもできる。
【００２６】
更に、本実施例では、人物検出部２０３と、ズーム画面決定部２０８と、ズーム処理部２０２、録画部２１０を居室親機２に備えたが、玄関子機１に備えても良い。
【００２７】
第１乃至第５の実施例のように、居室親機の簡単な操作で来訪者のみをズームアップすることができ、容易に人物を確認することができる。
【図面の簡単な説明】
【００２８】
【図１】本発明に係るインターホン装置のシステム構成図。
【図２】本発明に係るインターホン装置にてズーム操作を行ったときの画面図。
【符号の説明】
【００２９】
１                玄関子機
１０１          カメラ
２                居室親機
２０１          モニタ
２０２          ズーム処理部
２０３          人物検出部
２０８          ズーム画面決定部
【図１】
2010034615.tif 000003
【図２】
2010034615.tif 000004